Podtech/llm-jp-corpus-v4-ja_patent huggingface dataset:
(57)【要約】      （修正有）【課題】着物の着付けをしやすくし且つ、着くずれしにくくする面ファスナー付き着物を提供する。【解決手段】着物本体１の、下前と上前を合わせ着丈を決める位置や、衿が合あわさる位置に面ファスナー２を付ける。【選択図】図１
0003188511.tif 000002
【実用新案登録請求の範囲】
【請求項１】
下前と上前を合わせ着丈を決める位置や、衿が合わさる位置にあらかじめマジックテープを付けておくことを特徴とするマジックテープ付き着物
【考案の詳細な説明】
【技術分野】
【０００１】  本考案は、着物を着やすくしたり、着崩れを予防するため着物にマジックテ−プをつけるという着物に関するものである。
【背景技術】
【０００２】  従来、着物を着付けする時身長に合わせて丈を合わすのが一人では大変難しかった、そして、紐を堅く何本も結んでいないと着崩れすることが少なくなかった。
【考案の概要】
【考案が解決しようとする課題】
【０００３】  着付けしやすく、着崩れしにくい着物を提供する。
【課題を解決するための手段】
【０００４】  本考案は、着物の下前と上前が合わさる位置や、衿が合わさる位置等にあらかじめマジックテープを付けておく。
【考案の効果】
【０００５】  着丈が従来よりも容易く決められ、手早く着ることができる上に、マジックテープで止めているので、紐で堅くしばらなくても、着物の生地どうしが滑りにくく着崩れしにくい。
【図面の簡単な説明】
【０００６】
【図１】  従来の着物に予めマジックテープをつけたもの。
【考案を実施するための形態】
【０００７】  従来の着物の下前と上前が合わさる位置や、衿が合わさる位置等にあらかじめマジックテープを付けておく。
【実施例】
【０００８】  以下添付図に従って、一実施例を説明する。
１は、着物本体    ２は、付けられたマジックテープ
【符号の説明】
【０００９】１  着物本体
２  付けられたマジックテープ
【図１】
0003188511.tif 000003
【手続補正書】
【提出日】平成25年11月1日(2013.11.1)
【手続補正１】
【補正対象書類名】実用新案登録請求の範囲
【補正対象項目名】全文
【補正方法】変更
【補正の内容】
【実用新案登録請求の範囲】
【請求項１】
下前と上前を合わせ着丈を決める位置や、衿が合わさる位置にあらかじめ面ファスナ−を付けておくことを特徴とする面ファスナ−付き着物
【手続補正２】
【補正対象書類名】明細書
【補正対象項目名】全文
【補正方法】変更
【補正の内容】
【考案の詳細な説明】
【技術分野】
【０００１】  本考案は、着物を着やすくしたり、着崩れを予防するため着物に面ファスナ−をつけるという着物に関するものである。
【背景技術】
【０００２】  従来、着物を着付けする時身長に合わせて丈を合わすのが一人では大変難しかった、そして、紐を堅く何本も結んでいないと着崩れすることが少なくなかった。
【考案の概要】
【考案が解決しようとする課題】
【０００３】  着付けしやすく、着崩れしにくい着物を提供する。
【課題を解決するための手段】
【０００４】  本考案は、着物の下前と上前が合わさる位置や、衿が合わさる位置等にあらかじめ面ファスナ−を付けておく。
【考案の効果】
【０００５】  着丈が従来よりも容易く決められ、手早く着ることができる上に、面ファスナ−で止めているので、紐で堅くしばらなくても、着物の生地どうしが滑りにくく着崩れしにくい。
【図面の簡単な説明】
【０００６】
【図１】  従来の着物に予め面ファスナ−をつけたもの。
【考案を実施するための形態】
【０００７】  従来の着物の下前と上前が合わさる位置や、衿が合わさる位置等にあらかじめ面ファスナ−を付けておく。
【実施例】
【０００８】  以下添付図に従って、一実施例を説明する。
１は、着物本体    ２は、付けられた面ファスナ−
【符号の説明】
【０００９】１  着物本体
２  付けられた面ファスナ−
(57)【要約】      （修正有）【課題】意匠性に優れ、メッセージカード等を収納するのに好適なカード収納体を提供する。【解決手段】２枚のシート５、６間を収納部８とし、その周縁の一部に出し入れ開口１０を備え、全体がハート形状等の平面形状を備える収納部本体２と、出し入れ開口の縁に折り畳み可能に連続して設けられる蓋片４とからなり、蓋片は、折り畳まれて取り出し開口を閉じる際に重なるように収納部本体の上部と同形状を有する。【選択図】図４
0003188534.tif 000002
【実用新案登録請求の範囲】
【請求項１】
２枚のシート間を収納部とし、その周縁の一部に出し入れ開口を備え、全体が特定形態の平面形状を備える収納部本体と、
前記出し入れ開口の縁に折り畳み可能に連続して設けられる蓋片とからなり、
前記蓋片が、折り畳まれて前記取り出し開口を閉じる際に重なる前記収納部本体の上部と同形状とされてなることを特徴とするカード収納体。
【請求項２】
前記シートの一方を透明シートとする請求項１記載のカード収納体。
【請求項３】
前記特定形態をハート形状とする請求項１または２記載のカード収納体。
【考案の詳細な説明】
【技術分野】
【０００１】  この考案は、内部にメッセージカード等を収納するように用いるカード収納体に関する。
【背景技術】
【０００２】  プレゼント等を行う際にメッセージカードを一緒に手渡す場合があり、そのようなメッセージカードはデザイン模様を付した封筒形状の袋片等に納めて手渡していた。
【考案の概要】
【考案が解決しようとする課題】
【０００３】  この考案では、意匠性に優れ、メッセージカード等を収納するのに好適に用いられるカード収納体を提供することを目的とする。
【課題を解決するための手段】
【０００４】  この考案では、２枚のシート間を収納部とし、その周縁の一部に出し入れ開口を備え、全体が特定形態の平面形状を備える収納部本体と、前記出し入れ開口の縁に折り畳み可能に連続して設けられる蓋片とからなり、前記蓋片が、折り畳まれて前記取り出し開口を閉じる際に重なる前収納部本体の上部と同形状とされてなることを特徴とするカード収納体を提供する。【０００５】  上記構成によれば、収納部本体が特定形態の平面形状を備え、蓋体がその収納体本体の上部に同形状で重なることで、カード収納体は全体が見栄えの良い特定形態を呈するものとなって、楽しく意匠性に優れるものとなる。シートの一方を透明シートとすることで、スケルトン構成となってさらに楽しく意匠性に優れるものとなる。特定形態とは何らかの物品、物体等の具体的な形態を意味し、動物や果物やキャラクター等の意匠性に富んだ楽しい適宜な形態が採用され、とくにハート形状とされることでメッセージカードの収納に好適なカード収納体が得られる。
【考案の効果】
【０００６】  この考案によれば、意匠性に優れ、メッセージカード等を収納するのに楽しく使用されるカード収納体が得られる。
【図面の簡単な説明】
【０００７】
【図１】  この考案のカード収納体の実施形態の正面図
【図２】  この考案のカード収納体の実施形態の背面図
【図３】  この考案のカード収納体の実施形態の側面図
【図４】  この考案のカード収納体の実施形態の使用状態図
【図５】  この考案のカード収納体の実施形態の使用状態図
【考案の実施の形状】
【０００８】  図１はこの考案のカード収納体の実施形状の正面図、図２は同背面図、図３は同側面図である。カード収納体１は収納体本体２とその蓋片４とからなる。図４に示すように、収納体本体２はハート形状の紙シート５の裏面側に、透明のプラスチックシート６がその側縁において貼り付けられて形成されている。プラスチックシート６は紙シート５のハート形状の上部を残すように貼り付けられ、紙シート５とプラスチックシート６との間をカードの収納部８とし、プラスチックシート６の上縁位置を収納部８へのカードの出し入れ開口１０としている。
【０００９】  蓋片４は収納体本体２の紙シート５のハート形状において突出する上縁部に２点で折り畳み可能に連続しており、紙シート５のハート形状の上半部と同形状とされ、折り畳まれて出し入れ開口１０を閉じる状態においては、収納体本体２のハート形状の上半部に丁度重なって位置する。
【００１０】  カード収納体１は、図５に示すように、収納部８内にメッセージの書かれたハート形状のメッセージカード１２が収納され、蓋片４が閉じられ封止されて使用される。蓋片４が閉じられた状態においては、収納部本体２がハート形状の平面形状を備え、蓋体４がその収納体本体２の上半部に同形状で重なって納まるので、カード収納体１はその全体が見栄えの良いハート形状を呈して意匠性に優れるものとなり、従来のような単なる封筒形状でないことで楽しく用いられる。また、透明のプラスチックシート６を用いていることで収納部８がスケルトン構成となってさらに意匠性に優れるものとなり、メッセージカード１２のメッセージの一部を外部から見えるようにし、かつ、メッセージの一部が蓋片４で覆うようにでき、これによってより楽しく用いられる。
【符号の説明】
【００１１】１  カード収納体
２  収納体本体
４  蓋片
５  紙シート
６  プラスチックシート
８  収納部
１０  出し入れ開口
１１  メッセージカード
【図１】
0003188534.tif 000003
【図２】
0003188534.tif 000004
【図３】
0003188534.tif 000005
【図４】
0003188534.tif 000006
【図５】
0003188534.tif 000007
(57)【要約】      （修正有）【課題】紙パック容器は手の力で開ける方法しかなく、握力の弱い高齢者や子供は紙パック容器を開けることに難儀し、開けることのできない人もいる。このような不便さや困難を軽減し解決する糊付け部の剥がし具を提供する。【解決手段】紙パック容器の糊付け部の剥がし具１は、環状型の一部を切り取り、その短い方の直線部２にプレート刃３が取り付けられており、長い方の直線部４は二重になっている簡単紙パック容器の糊付け部の剥がし具１である。【選択図】図１
0003188702.tif 000002
【実用新案登録請求の範囲】
【請求項１】
一端部及び他端部を有し、この一端部と他端部との間に隙間が設けられた、環状のハンドルと、このハンドルの一端部に取り付けられた開放刃と、前記ハンドルの他端部に形成された支持部と、を備え、紙パック容器の口部の一方側部にハンドルの支持部を位置させ、紙パック容器の口部の他方側部の内側に前記開放刃を差し込み、前記支持部を中心に前記ハンドルを回転させて開放刃を上方に移動させ、口部の他方側部を開放することを特徴とする口の糊付け部はがし具。
【請求項２】
前記支持部は、紙パック容器の口部を挟み込む挟み込み部であることを特徴とする口の糊付け部はがし具。
【考案の詳細な説明】
【技術分野】
【０００１】
本考案は、プレート刃とハンドルを利用した紙パック容器注ぎ口処理具に関し、より具体的には、紙パック容器の糊付け部の剥がし具に関する。
【背景技術】
【０００２】
紙パックは、老若男女を問わず、日常の食生活で使用頻度の高い容器である。しかしながら、紙パック容器は、手の力で開ける方法しかなかった。そのため、特に握力の弱い高齢者や子供は、紙パック容器を開けることに難儀し、自ら開けることのできない人もいる。そこで特許文献１に記載したように紙パックの口に加工を施したものも開発されている。
【先行技術文献】
【特許文献】
【０００３】
【特許文献１】実用新案登録番号３１２１６５２号
【考案の概要】
【考案が解決しようとする課題】
【０００４】
しかしながら、紙パック容器の口に加工を施すのは煩雑であり、紙パック容器の口の確実な密封性を低下させる。したがって本考案は、開け易いような加工を施さなくても、簡単に容器の口を簡単開けることができる又は、処理することができる糊付け部の剥がし具を提供することを課題とする。
【課題を解決するための手段】
【０００５】
この問題を解決するための本案の紙パック容器の糊付け部の剥がし具は、環状型の一部が切り取られ、その短い直線部にプレート刃は付いている。あるいは、一端部及び他端部を有し、この一端部と他端部との間に隙間が設けられた、環状のハンドルと、このハンドルの一端部に取り付けられた開放刃と、前記ハンドルの他端部に形成された支持部と、を備え、紙パック容器の口部の一方側部にハンドルの支持部を位置させ、紙パック容器の口部の他方側部の内側に前記開放刃を差し込み、前記支持部を中心に前記ハンドルを回転させて開放刃を上方に移動させ、口部の他方側部を開放するものである。また、支持部は、紙パック容器の口部を挟み込む挟み込み部としてもよい。
【考案の効果】
【０００６】
紙パック容器の糊付け部の剥がし具を利用すれば、あまり力を使わず、紙パック容器を開けることができるので、便利である。
【図面の簡単な説明】
【０００７】
【図１】本考案に係る紙パック容器の糊付け部の剥がし具を正面からみた図。
【図２】本考案に係る紙パック容器の糊付け部の剥がし具を分解した図。
【図３】紙パック容器注ぎ口オープン具を正面からみた図。
【図４】紙パック容器注ぎ口オープン具を分解した図。
【図５】本考案に係る紙パック容器の糊付け部の剥がし具を注ぎ口の外側の糊付け部に差し込んだ図。
【図６】本考案に係る紙パック容器の糊付け部の剥がし具で外側の糊付け部を剥がした図。
【図７】紙パック容器注ぎ口オープン具を外側の糊付けが剥がされた注ぎ口の内端の内側糊付け部分の境に差し込んだ図。
【図８】紙パック容器注ぎ口オープン具を注ぎ口の内側糊付け部分の境に差し込んだ紙パック容器注ぎ口オープン具を引っ張って、注ぎ口の内側糊付け部を剥がし、開口させた図。
【考案を実施するための形態】
【０００８】
本考案とともに、環状型の一部を切り取り、その短い方の直線部２に、プレート刃３が取り付けられ、長い方の直線部4は二重になっている紙パック容器の糊付け部の剥がし具１が用いられる。二重になった長い方の直線部4に、紙パック容器5の注ぎ口6とは反対側の山7をすべり込ませる。そして、注ぎ口6に短い方2のプレート刃3を差し込み、テコの要領で紙パック容器の糊付け部の剥がし具１を引き上げる。また、紙パック5の糊付け部8は、くの字に曲げられた錐9が取り付けられた取っ手１０を有する紙パック容器注ぎ口オープン具11を、糊付け部8の境に差し込み、指当て部12を人差し指の上の乗せて引きはがすことにより、糊づけ部8を、容易に開けることができる。なお。錐9の先は、危険なのでスプリング13で覆われている。
【０００９】
糊付け部の剥がし具１を引き上げると、注ぎ口6の外側の糊付けが剥がされる。次に注ぎ口6の内端で、注ぎ口6の内側同士を接着している内側糊付け部8の境に、紙パック容器注ぎ口オープン具11の錐9の先端を差し込む。紙パック容器注ぎ口オープン具11は、取っ手10の先端にくの字に曲げられた錐9を取りつけ、側方に延びる錐9の部分にスプリング13をはめてかぶせたものであり、指当て部12に人差し指をのせて、この取っ手10を握り、注ぎ口6の内側を開口方向に引っ張る。そうすると、下方に曲がっている錐9に引き剥がされて、注ぎ口6の外側14が内側15から分離し、開口が形成されることになる。
【符号の説明】
【００１０】
１  紙パック容器の糊付け部の剥がし具
２  短い方の直線部
３  プレート刃
４  長い方の直線部
６  紙パック
７  紙パックの山
８  糊付け部  
９  錐
１０  取っ手
１１  紙パック容器注ぎ口オープン具
１２  指当て部
１３  スプリング
１４  外側糊付け部
１５  内側糊付け部
【図１】
0003188702.tif 000003
【図２】
0003188702.tif 000004
【図３】
0003188702.tif 000005
【図４】
0003188702.tif 000006
【図５】
0003188702.tif 000007
【図６】
0003188702.tif 000008
【図７】
0003188702.tif 000009
【図８】
0003188702.tif 000010
【手続補正書】
【提出日】平成25年10月30日(2013.10.30)
【手続補正１】
【補正対象書類名】実用新案登録請求の範囲
【補正対象項目名】請求項２
【補正方法】変更
【補正の内容】
【請求項２】
前記支持部は、紙パック容器の口部を挟み込む挟み込み部であることを特徴とする請求項１の記載の口の糊付け部はがし具。
(57)【要約】      （修正有）【課題】安全であると同時に仮にバネが破損しても容易に取り外し、新たなバネに交換でき、資源の節約になるまつげカーラーを提供する。【解決手段】まつげをはさむ動作をする２本の交差する棒状のハンドルの間に、両端に棒状ハンドルにとりつけるための開口部をもつ合成樹脂製の板状バネをとりつけたまつげカーラー。金属バネのように鋭く折れることがなく、また、合成樹脂製のバネは容易に取り外して交換できる。【選択図】図２
0003188705.tif 000002
【実用新案登録請求の範囲】
【請求項１】
ハンドルに合成樹脂製の開口部を持つバネをとりつけたまつげカーラー
【考案の詳細な説明】
【技術分野】
【０００１】本考案はまつげをカールするまつげカーラーに関するものである。
【背景技術】
【０００２】従来のまつげカーラーには［図１］のようにハンドルに金属バネをつけたものがある。
【考案の開示】
【考案が解決しようとする課題】
【０００３】従来のまつげカーラーには［図１］のようにハンドルに金属バネをつけたものがある。
金属バネはキズがついたり、サビたりして使用中に折れる事があり、目や顔に傷をつけるおそれがあり、危険である。またバネが折れれば使用ができなくなる
【課題を解決するための手段】
【０００４】［図２］は本考案のハンドルに合成樹脂製の開口部を持つバネをつけたまつげカーラーである。合成樹脂製のバネは金属バネと違いサビたり、鋭く折れたりせず、目や顔を傷つけることはない。
【考案の効果】
【０００５】本考案の合成樹脂製の開口部を持つバネは金属バネのように鋭く折れたりする部位がなく、目や顔を傷つけることがない。また金属バネはハンドルに固着されており  折れたら交換が不可能であるが  本考案の合成樹脂製の開口部を持つバネは  ハンドルに固着されておらず、破損しても容易にとりはずすことができ、かつ新しい本考案の合成樹脂製の開口部を持つバネを再度装着することが出来る。
【実施例】
【０００６】本考案のまつげカーラー［図２］はハンドルを握ることにより、合成樹脂製のバネ部が押圧されてまつげをはさむ開口部がとじ、まつげをカールすることができる。握るのをやめれば合成樹脂製のバネの反発により、再び開口部が開く。
【産業上の利用可能性】
【０００７】金属バネと違い折れて、とがって顔を傷つけたりすることがなく安全であると同時に仮にバネが破損しても容易に取り外し、新たなバネに交換できるので資源の節約になる。
【図面の簡単な説明】
【０００８】
【図１】従来のハンドルにバネをつけたまつげカーラー
【図２】本考案の合成樹脂製の開口部をもつバネをとりつけたまつげカーラー
【図３】本考案に使用する開口部をもつ合成樹脂製バネの斜視図
【図１】
0003188705.tif 000003
【図２】
0003188705.tif 000004
【図３】
0003188705.tif 000005
【手続補正書】
【提出日】平成25年11月7日(2013.11.7)
【手続補正１】
【補正対象書類名】実用新案登録請求の範囲
【補正対象項目名】全文
【補正方法】変更
【補正の内容】
【実用新案登録請求の範囲】
【請求項１】
ｂまつげをはさむ動作をする  ２本の交差する棒状のハンドルの間に  両端に棒状ハンドルにとりつけるための開口部をもつ合成樹脂製の板状バネをとりつけたまつげカーラー
(57)【要約】      （修正有）【課題】美しい外観、地面との接触面積が少なく、ゴミの取り出しが簡単である、新型ゴミ箱を提供する。【解決手段】ゴミ箱本体１、及び支えロッド３を通して、ゴミ箱本体と連結するベース２を有する。支えロッドは、それぞれ、ゴミ箱本体の両側に配置され、支えロッドとゴミ箱本体間の連結は着脱自在な連結であり、ベースは半球形であり、中に固体材料で充填する。これにより、ゴミ箱は宙に浮くように構成され、また、ゴミ箱本体の下に半球形のベースを設置することにより、使用時、ゴミ箱本体は倒されることがなく、ゴミ箱にあるゴミは外部に出せず、室内の環境衛生を維持できる。【選択図】図１
0003188719.tif 000002
【実用新案登録請求の範囲】
【請求項１】
新型ゴミ箱で、その特徴とは：ゴミ箱本体、及び支えロッドを通して、ゴミ箱本体と連結するベースを含め、上述した支えロッドは、それぞれ、ゴミ箱本体の両側に配置され、支えロッドとゴミ箱本体間の連結はアクティブな連結であり、ベースは半球形であり、中に固体材料で充填することを特徴とする新型ゴミ箱。
【考案の詳細な説明】
【技術分野】
【０００１】
本実用新案は新型ゴミ箱の分野に関与する。
【背景技術】
【０００２】
日常生活にて、人々はしばしば誤ってゴミ箱を倒してしまう。中のゴミは外に出され、それを掃除することは非常に時間がかかる。また、伝統的なゴミ箱の形が単一である。
【考案の概要】
【考案が解決しようとする課題】
【０００３】
本実用新案で解決しようとする技術問題とは、美しい外観、地面との接触面積が少なく、ゴミの取り出しが簡単、普及と使用に適する特徴を持つ新型ゴミ箱を提供したい。
【課題を解決するための手段】
【０００４】
本実用新案では、次の技術的な案を通して、実現したものである：新型ゴミ箱であり、ゴミ箱本体、及び支えロッドを通して、ゴミ箱本体と連結するベースを含め、上述した支えロッドは、それぞれ、ゴミ箱本体の両側に配置され、支えロッドとゴミ箱本体間の連結はアクティブな連結であり、ベースは半球形であり、中に固体材料で充填する。
【考案の効果】
【０００５】
本実用新案の有益な効果とは：本実用新案はゴミ箱を宙に浮くように設計し、また、ゴミ箱本体の下に半球形のベースを設置する。使用時、ゴミ箱本体は倒されることがなく、よって、ゴミ箱にあるゴミは外部に出せず、室内の環境衛生を維持できる。本実用新案の新型ゴミ箱は、美しい外観、地面との接触面積が少なく、ゴミの取り出しが簡単、普及と使用に適する利点を持つ。
【図面の簡単な説明】
【０００６】
【図１】本実用新案の新型ゴミ箱の構造概略図である。
【考案を実施するための形態】
【０００７】
説明を容易にするために、本実用新案は次の具体的な実施例、及び添付図面で詳しく説明する。
【０００８】
図1の様に、本実用新案の新型ゴミ箱は、ゴミ箱本体1、及び支えロッド3を通して、ゴミ箱本体1と連結するベース2を含め、上述した支えロッド3は、それぞれ、ゴミ箱本体1の両側に配置され、支えロッド3とゴミ箱本体1間の連結はアクティブな連結であり、ベース2は半球形であり、中に固体材料で充填する。
【０００９】
本実用新案はゴミ箱を宙に浮くように設計し、また、ゴミ箱本体1の下に半球形のベース2を設置する。使用時、ゴミ箱本体1は倒されることがなく、よって、ゴミ箱本体1にあるゴミは外部に出せず、室内の環境衛生を維持できる。
【００１０】
本実用新案の有益な効果とは：本実用新案の新型ゴミ箱は、美しい外観、地面との接触面積が少なく、ゴミの取り出しが簡単、普及と使用に適する利点を持つ。
【００１１】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、権力要求書で限定された範囲に準じる。
【符号の説明】
【００１２】
1  ゴミ箱本体
2  ベース
3  ロッド
【図１】
0003188719.tif 000003
【手続補正書】
【提出日】平成25年11月27日(2013.11.27)
【手続補正１】
【補正対象書類名】実用新案登録請求の範囲
【補正対象項目名】全文
【補正方法】変更
【補正の内容】
【実用新案登録請求の範囲】
【請求項１】
新型ゴミ箱で、その特徴とは：ゴミ箱本体、及び支えロッドに固着され、支えロッドを通して、ゴミ箱本体と連結するベースを含め、上述した支えロッドは、それぞれ、ゴミ箱本体の両側に配置され、支えロッドとゴミ箱本体間の連結は着脱自在な連結であり、ベースは半球形であり、中に固体材料で充填することを特徴とする新型ゴミ箱。
(57)【要約】      （修正有）【課題】自動車を運転する人間とアルコール検知器でアルコールの有無を検知した人間とを一致させる静脈認証器付きアルコール検知装置を提供する。【解決手段】アルコール検知器に静脈認証器１を付属させアルコールの検知を行なおうとする人間の静脈認証を行なう。自動車のハンドルにも静脈認証器と静脈認証判別装置を付属させアルコール検知器の値が０であり且つアルコール検知器に付属する静脈認証と自動車のハンドルに付属する静脈認証が一致した場合だけ無線を介してセルモーターのロックが解除されエンジンを始動することができる。【選択図】図１
0003188714.tif 000002
【実用新案登録請求の範囲】
【請求項１】
アルコール検知器に静脈認証器を付属させるとともに自動車のハンドルにも静脈認証器を付属させ、前記自動車のハンドルに付属した静脈認証器には前記アルコール検知器で認識した静脈認証情報を受け取り、一致するかどうかの判別機能を有し前記アルコール検知器からのアルコールの有無情報も受け取り、前記アルコール検知器でのアルコールが無であり、前記アルコール検知器に付属した静脈認証と、前記ハンドルに付属した静脈認証とが一致した場合のみ、無線を介してセルモーターのロックが解除され、エンジンを作動することがせきることを特徴とした静脈認証器付きアルコール検知装置。
【考案の詳細な説明】
【技術分野】
【０００１】  本考案は、運送事業者に義務づけられているアルコール検知器に静脈認証を組み合わせ信頼度を高めるアルコール検知器に関するものである。
【背景分野】
【０００２】  運送業者が従来のアルコール検知器を使う場合、簡単に運転者以外の他人に、代わりに使用してもらい、運転者がアルコールを検知器を使わずに運転することが可能であった。
【考案の概要】
【考案が解決しようとする課題】
【０００３】  アルコール検知器を使用する者と、運転者が合致する機能をもつアルコール検知器を提供する。
【課題を解決するための手段】
【０００４】  本考案は、従来からあるアルコール検知器と自動車のハンドルに静脈認証器を付属させる。
【考案の効果】
【０００５】  自動車の運転者が酒気を帯びているにも拘らず、他人にアルコール検知器を使用させて、検知を行なった人間でないものが運転を行うということが大変難しくなり、酒気帯運転による事故を減少させることができる。
【図面の簡単な説明】
【０００６】
【図１】アルコール検知器に付属させた静脈認証器
【図２】自動車のハンドルに付属させた静脈認証器
【考案を実施するための形態】
【０００７】  アルコール検知器に静脈認証器をつける。それとともに自動車のハンドルにも静脈認証器をつけ、アルコール検知器とは、無線でつながれており、静脈認証が一致するかどうかの判別機能も有し、静脈認証が一致しアルコールが検知されない場合にだけエンジンを作動させることができる。
【実施例】
【０００８】  以下添付図にしたがって、一実施例を説明する。１は、アルコール検知器に付属させた静脈認証器であり、自動車のハンドルに付属した静脈認証器２とは無線３を介しながっている。【０００９】  自動車のハンドルに付属した静脈認証器には、アルコール検知器の静脈認証と一致するかどうかの判別機能４を有し無線３を介し前記アルコール検知器の静脈の情報を受け取りハンドルを握った運転者の静脈と一致するか判別し、一致し且つアルコール検知器がアルコールを検知しない場合にだけ無線５を通じて、セルモーターのロックが解除され、エンジンを作動させることができる。
【符号の説明】
【００１０】  １  アルコール検知器に付属した静脈認証器
２  自動車のハンドルに付属した静脈認証器
３  アルコール検知器の静脈認証器と自動車の静脈認証器をつなぐ無線
４  自動車のハンドルの静脈認証器に設けられた静脈判別装置とアルコールの有無の情      報をうけとる装置
５  運転の可否をセルモーターのロック機能に伝える無線
【図１】
0003188714.tif 000003
【図２】
0003188714.tif 000004
(57)【要約】      （修正有）【課題】簡単な構造、インテリジェント化が高く、効果的に環境衛生を向上させることができるインテリジェントなゴミ箱を提供する。【解決手段】ゴミ箱ボディ１、及びゴミ箱ボディ１に設置された投入口を含め、ゴミ箱ボディ以外の地面に感知エリアが設置され、ゴミ箱ボディ内部にインテリジェント制御装置３が設置され、ゴミ箱ボディ１外部にスピーカユニット５が設置され、インテリジェント制御装置３、感知エリア２とスピーカユニット５の間に電気的接続をする。ゴミは、ゴミ箱以外の感知エリア２にスローされたとき、感知エリア２は、インテリジェント制御装置３に信号を送り、更にインテリジェント制御装置３の制御によって、スピーカユニット５が警告音を出し、ゴミをゴミ箱に捨てるように歩行者へ知らせ、また捨てられたゴミの正しさを注意させる。【選択図】図１
0003188718.tif 000002
【実用新案登録請求の範囲】
【請求項１】
インテリジェントなゴミ箱で、その特徴とは：ゴミ箱ボディ、及びゴミ箱ボディに設置された投入口を含め、ゴミ箱ボディ以外の地面に感知エリアが設置され、ゴミ箱ボディ内部にインテリジェント制御装置が設置され、ゴミ箱ボディ外部にスピーカユニットが設置され、インテリジェント制御装置、感知エリアとスピーカユニットの間に電気的接続をすることを特徴とするインテリジェントなゴミ箱。
【考案の詳細な説明】
【技術分野】
【０００１】
本実用新案はインテリジェントなゴミ箱の分野に関与する。
【背景技術】
【０００２】
公共空間にゴミ箱が設置され、通りかかる歩行者が容易にゴミをゴミ箱に投げ込むが、ゴミが弾かれ、地面に落ちることが多い。しかし、再びゴミを拾い、ゴミ箱に入れ直す人が少なく、環境衛生に悪影響を及ぼす。
【考案の概要】
【考案が解決しようとする課題】
【０００３】
本実用新案で解決しようとする技術問題とは、簡単な構造、インテリジェント化が高く、効果的に環境衛生を向上させできるインテリジェントなゴミ箱を提供したい。
【課題を解決するための手段】
【０００４】
本実用新案では、次の技術的な案を通して、実現したものである：インテリジェントなゴミ箱であり、ゴミ箱ボディ、及びゴミ箱ボディに設置された投入口を含め、ゴミ箱ボディ以外の地面に感知エリアが設置され、ゴミ箱ボディ内部にインテリジェント制御装置が設置され、ゴミ箱ボディ外部にスピーカユニットが設置され、インテリジェント制御装置、感知エリアとスピーカユニットの間に電気的接続をする。
【考案の効果】
【０００５】
本実用新案の有益な効果とは：本実用新案はインテリジェントな設定を通じて、ゴミは、ゴミ箱以外の感知エリアにスローされたとき、感知エリアは、インテリジェント制御装置に信号を送り、更にインテリジェント制御装置の制御によって、スピーカユニットが警告音を出し、ゴミをゴミ箱に捨てるように歩行者へ知らせ、また捨てられたゴミの正しさを注意させる。本実用新案は、簡単な構造、インテリジェント化が高く、効果的に環境衛生を向上させでき、普及と使用に適する利点を持つ。
【図面の簡単な説明】
【０００６】
【図１】本実用新案のインテリジェントなゴミ箱の構造概略図である。
【考案を実施するための形態】
【０００７】
説明を容易にするために、本実用新案は次の具体的な実施例、及び添付図面で詳しく説明する。
【０００８】
図1の様に、本実用新案のインテリジェントなゴミ箱は、ゴミ箱ボディ1、及びゴミ箱ボディ1に設置された投入口4を含め、ゴミ箱ボディ1以外の地面に感知エリア2が設置され、ゴミ箱ボディ1内部にインテリジェント制御装置3が設置され、ゴミ箱ボディ1外部にスピーカユニット5が設置され、インテリジェント制御装置3、感知エリア2とスピーカユニット5の間に電気的接続をする。
【０００９】
ゴミは、ゴミ箱以外の感知エリア2にスローされたとき、感知エリア2は、インテリジェント制御装置3に信号を送り、更にインテリジェント制御装置3の制御によって、スピーカユニット5が警告音を出し、ゴミをゴミ箱に捨てるように歩行者へ知らせ、また捨てられたゴミの正しさを注意させる。
【００１０】
本実用新案の有益な効果とは：本実用新案は、簡単な構造、インテリジェント化が高く、効果的に環境衛生を向上させでき、普及と使用に適する利点を持つ。
【００１１】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、権力要求書で限定された範囲に準じる。
【符号の説明】
【００１２】
1  ゴミ箱ボディ
2  感知エリア
3  インテリジェント制御装置
4  投入口
5  スピーカユニット
【図１】
0003188718.tif 000003
【手続補正書】
【提出日】平成25年11月27日(2013.11.27)
【手続補正１】
【補正対象書類名】実用新案登録請求の範囲
【補正対象項目名】全文
【補正方法】変更
【補正の内容】
【実用新案登録請求の範囲】
【請求項１】
インテリジェントなゴミ箱で、その特徴とは：ゴミ箱ボディ、及びゴミ箱ボディに設置された投入口を含め、ゴミ箱ボディ以外の地面に感知エリアが設置され、ゴミ箱ボディ内部にインテリジェント制御装置が設置され、ゴミ箱ボディ外部にスピーカユニットが設置され、インテリジェント制御装置、感知エリアとスピーカユニットの間に電気的接続をし、ゴミは、ゴミ箱以外の感知エリアにスローされたとき、感知エリアは、感知手段として機能し、インテリジェント制御装置に信号を送り、更にインテリジェント制御装置の制御によって、スピーカユニットが警告音を出し、ゴミをゴミ箱に捨てるように歩行者へ知らせることを特徴とするインテリジェントなゴミ箱。
(57)【要約】      （修正有）【課題】地中伸縮計の地すべり変動以外の原因による圧縮変位の検出を防止する地中伸縮計の設置装置を提供する。【解決手段】ボーリング孔の保孔管１又は保護鋼管を嵌合挿入できる内径を備えた垂直筒体６と、垂直筒体６の先端部に水平に固定された平板状の測定台７とからなり、測定台７の垂直筒体６との接合部分には測定ワイヤ２を通す円形孔を貫通し、円形孔の近傍には測定ワイヤ２を架け渡すプーリー９を設け、プーリー９からの測定ワイヤ２を接続する伸縮計１０を備え、測定台７をボーリング孔の保孔管１又は保護鋼管の上に直接載せ、ねじ止めにより固定することにより、測定台７の沈下や杭の傾倒による圧縮変位の検出が防止できる。【選択図】図１
0003188790.tif 000002
【実用新案登録請求の範囲】
【請求項１】
保孔管又は保護鋼管を嵌合挿入できる内径を備えた垂直筒体と、該垂直筒体の先端部に水平に固定された平板状の測定台とからなり、前記測定台の前記垂直筒体との接合部分には測定ワイヤを通す円形孔を貫通し、該円形孔の近傍には測定ワイヤを架け渡すプーリーを設け、該プーリーからの測定ワイヤを接続する伸縮計を備えたことを特徴とする地中伸縮計の設置装置。
【請求項２】
保孔管又は保護鋼管を嵌合挿入できる内径を備えた垂直筒体と、該垂直筒体の先端部に水平に固定された平板状の測定台とからなり、前記測定台の前記垂直筒体との接合部分には測定ワイヤを通す円形孔を貫通し、該円形孔の近傍には測定ワイヤを接続する伸縮計を備えたことを特徴とする地中伸縮計の設置装置。
【請求項３】
前記垂直筒体は、前記伸縮計を前記測定台に載せたときに傾かないように適宜長さを保持し、かつ固定用のネジを設けてねじ止めにより固定することを特徴とする請求項１又は２記載の地中伸縮計の設置装置。
【考案の詳細な説明】
【技術分野】
【０００１】
本考案は、地すべり土塊の移動量を引っ張り変位として測定する地中伸縮計の設置装置に関するものである。
【背景技術】
【０００２】
従来、地中伸縮計は、設置用のボーリング孔を基岩内に十分な根入れが確保される深度まで掘削し、掘削されたボーリング孔に、先端にアンカー体を付けた径１ｍｍ程度のステンレス製測定ワイヤを挿入し、ワイヤの先端を基岩内の所定の位置に固定し、地上の測定装置は頑丈な台の上に設置し、測定ワイヤを前記測定装置に接続するものである。通常、地中伸縮計は、ボーリング孔から離れて杭などを介して地盤に固定された測定台の上に据え付けられる。
【０００３】
しかし、地中伸縮計は、地すべり土塊の移動量を引っ張り変位として測定することを目的として開発されたものであるが、実際には圧縮変位が検出されることが多い。これの原因の一つとして、伸縮計を据え付けている測定台の沈下、ボーリング孔側への傾倒などが考えられる。
このような地すべり変動以外の原因による圧縮変位の検出を、測定台の工夫によって防止することが望まれている。
【先行技術文献】
【非特許文献】
【０００４】
【非特許文献１】「いつでも、どこでもすぐに役立つ  地すべり観測便覧」、地すべり観測便覧編集委員会編集、社団法人  斜面防災対策技術協会発行、平成２４年１０月発行、２．１．６地中伸縮計  Ｐ１６９〜Ｐ１７１
【考案の概要】
【考案が解決しようとする課題】
【０００５】
本考案は、地中伸縮計の地すべり変動以外の原因による圧縮変位の検出を防止する地中伸縮計の設置装置を提供することを目的とする。
【課題を解決するための手段】
【０００６】
本考案の地中伸縮計の設置装置は、保孔管又は保護鋼管を嵌合挿入できる内径を備えた垂直筒体と、該垂直筒体の先端部に水平に固定された平板状の測定台とからなり、前記測定台の前記垂直筒体との接合部分には測定ワイヤを通す円形孔を貫通し、該円形孔の近傍には測定ワイヤを接続する伸縮計を備えたものである。
本考案の地中伸縮計の設置装置は、保孔管又は保護鋼管を嵌合挿入できる内径を備えた垂直筒体と、該垂直筒体の先端部に水平に固定された平板状の測定台とからなり、前記測定台の前記垂直筒体との接合部分には測定ワイヤを通す円形孔を貫通し、該円形孔の近傍には測定ワイヤを架け渡すプーリーを設け、該プーリーからの測定ワイヤを接続する伸縮計を備えたものである。
前記垂直筒体は、前記伸縮計を前記測定台に載せたときに傾かないように適宜長さを保持し、かつ固定用のネジを設けてねじ止めにより固定する。
【考案の効果】
【０００７】
本考案の地中伸縮計の設置装置は、測定台をボーリング孔の保孔管の上に直接載せ、ねじ止めにより固定することにより、測定台の沈下や杭の傾倒による圧縮変位の検出が防止できる。
【図面の簡単な説明】
【０００８】
【図１】本考案の地中伸縮計の設置装置の正面図である。
【図２】本考案の地中伸縮計の設置装置の平面図である。
【考案を実施するための形態】
【０００９】
本考案の地中伸縮計の設置装置の一実施例を添付図面に基づいて、以下に説明する。
図１の正面図に示すように、地盤から設置用のボーリング孔を基岩内に十分な根入れが確保される深度まで掘削する。この掘削されたボーリング孔に塩ビ製保孔管１を挿入し、先端にアンカー体を付けた径１ｍｍ程度のステンレス製測定ワイヤ２を前記保孔管１に挿入し、前記測定ワイヤ２の先端を基岩内の所定の位置に固定する。前記測定ワイヤ２は保護パイプ３の中を通し、該保護パイプ３と前記保孔管１との間の空隙はグラウト４により充填する。前記保護パイプ３の内径は前記測定ワイヤ２が自由に動くことができる範囲で極力小さくする。また、前記保孔管１の地表面はベースコンクリート５で固めて固定する。
【００１０】
本考案の地中伸縮計の設置装置は、前記保孔管１を嵌合挿入できる内径を備えた垂直筒体６と、該垂直筒体６の先端部に水平に固定された平板状の測定台７とからなり、図２の平面図で明らかなように、前記測定台７の前記垂直筒体６との接合部分には前記測定ワイヤ２を通す円形孔８を貫通し、該円形孔８の近傍には測定ワイヤ２を架け渡すプーリー９を設け、該プーリー９からの測定ワイヤ２を接続する伸縮計１０を備えたものである。
また、伸縮計１０の種類によっては、直接円形孔８近傍に配置することによりプーリー９を設ける必要がない。
前記垂直筒体６は、前記伸縮計１０を前記測定台７に載せたときに傾かないように適宜長さを保持し、かつ固定用のネジ１１を設けてねじ止めにより固定する。
【００１１】
上記実施例とは別に、地上に立ち上がっている保孔管１の外側に補強のために保護鋼管（図示せず）を外環し、保護鋼管の足元はベースコンクリート５に固定し、前記保護鋼管に垂直筒体６を嵌合挿入して測定台７を設置することができる。
したがって、本考案の地中伸縮計の設置装置は、測定台７をボーリング孔の保孔管１又は保護鋼管（図示せず）の上に直接載せ、ねじ止めにより固定することにより、測定台７の沈下や杭の傾倒による圧縮変位の検出が防止できる。
【符号の説明】
【００１２】
１  塩ビ製保孔管
２  ステンレス製測定ワイヤ
３  保護パイプ
４  グラウト
５  ベースコンクリート
６  垂直筒体
７  測定台
８  円形孔
９  プーリー
１０  伸縮計
１１  ネジ
【図１】
0003188790.tif 000003
【図２】
0003188790.tif 000004
(57)【要約】【課題】本考案は、ネイルアート用スティックの先端と共に芯棒の先端を削り取ることにより、芯棒の先端が常に粘着性を有する状態にしておくことができるネイルアート用スティックを提供することを目的とする。【解決手段】本考案に係るネイルアート用スティックＡは、軸線方向に沿って形成された中空穴１１を備えた軸体１０と、該軸体１０の中空穴１１に配された芯棒２０とからなり、該軸体は切削性を有し、該芯棒は粘着性を有するものである。【選択図】        図１
0003188778.tif 000002
【実用新案登録請求の範囲】
【請求項１】
軸線方向に沿って形成された中空穴を備えた軸体と、
該軸体の中空穴に配された芯棒とからなり、
該軸体は切削性を有し、
該芯棒は粘着性を有する
ことを特徴とする鉛筆状のネイルアート用スティック。
【請求項２】
前記軸体が木製であることを特徴とする請求項１に記載の鉛筆状のネイルアート用スティック。
【請求項３】
前記芯棒が合成樹脂製であることを特徴とする請求項１又は２に記載の鉛筆状のネイルアート用スティック。
【考案の詳細な説明】
【技術分野】
【０００１】
本考案は、爪表面の装飾すなわちネイルアートを行う際に使用するネイルアート用スティックに関し、特に、ラインストーンと称される小さい粒体を接着して爪表面に貼り付けるために使用するネイルアート用スティックに関する。
【背景技術】
【０００２】
従来よりラインストーンを摘み上げて爪の表面に貼り付けるためにピンセッを使用するのが一般的である。しかし、ラインストーンは小さい粒体であるためピンセットで手早く摘み上げることが難しく、ネイルアートに手間や時間を要していた。
【０００３】
この問題を解決するために下記特許文献１に示されるネイルアート用スティックが開発された。特許文献１に示されるネイルアート用スティックは、その先端部分に蜜蝋よりなる粘着材を脱着可能に設けたものである。
【先行技術文献】
【特許文献】
【０００４】
【特許文献１】特開２０１１−１９３９７７号公報
【考案の概要】
【考案が解決しようとする課題】
【０００５】
しかしながら、上記特許文献１に示されるネイルアート用スティックは、密蝋の性質上、その粘着性の持続に優れているとしても、永久的でないことは当然であり、使用するに従って粘着力が低下していくことは否めない。
【０００６】
そこで、本考案者は、鋭意研究を重ねた結果、ネイルアート用スティックを鉛筆状の形態に構成し、その芯棒に粘着性のある合成樹脂を使用して、ネイルアート用スティックの先端と共に芯棒の先端を削り取ることにより、芯棒の先端が常に粘着性を有する状態にしておくことができるネイルアート用スティックを開発した。
【課題を解決するための手段】
【０００７】
本考案に係るアートネイル用スティック（以下、単に「スティック」という。）は、軸線方向に沿って形成された中空穴を備えた軸体と、該軸体の中空穴に配された芯棒とからなり、該軸体は切削性を有し、該芯棒は粘着性を有することを特徴とするものである。
【０００８】
また、本考案に係るスティックは、上記の構成に加え、前記軸体が木製であることを特徴とするものである。
【０００９】
さらに、本考案に係るスティックは、上記の構成に加え、前記芯棒が合成樹脂製であることを特徴とするものである。
【００１０】
なお、本考案に係るスティックは、その先端にキャップを備えて構成としてもよく、また、当該キャップが、軸体及び芯棒を切削する削り部を備えている構成としてもよい。
【考案の効果】
【００１１】
以上のように構成した本考案のスティックは、該軸体が切削性を有するので、芯棒の先端の粘着性が低下したときには、スティックの先端と共に芯棒を削りとることにより、粘着性が低下した芯棒の先端が削り取られて粘着性のある芯棒の先端に改められので、芯棒の先端が常に粘着性を有する状態にしておくことができる。また、芯棒の先端部をラインストーンを接着するための必要な面積に削り取ることが可能である。
【図面の簡単な説明】
【００１２】
【図１】本考案の実施例１に係るスティックの軸体の全体図である。
【図２】本考案の実施例１に係るスティックの分解図である。
【図３】本考案の実施例１に係るスティックの先端を削った全体図である。
【考案を実施するための形態】
【００１３】
以下、本考案に係るスティックの好適な実施例を図面に基づいて説明する。
【実施例１】
【００１４】
図１において、Ａはスティックを示し、当該スティックＡは、軸体１０と芯棒２０とにより構成される。
【００１５】
前記軸体１０は、軸線方向に沿って形成された中空穴１１を備えている。当該軸体１０は木製よりなり、切削性を有するものであって、図２に示すように、半割体１０ａ，１０ｂとを接着して形成される。当該半割体１０ａ，１０ｂは、その軸線方向に沿った断面半円状の凹溝１１ａ，１１ｂを有しており、半割体１０ａ，１０ｂをそれぞれ前記凹溝１１ａ，１１ｂが対面して一致するように接着することにより前記中空穴１１が形成される。
【００１６】
前記芯棒２０は、粘着性を有する合成樹脂製であり、前記軸体１０の中空穴１１に配される。
【００１７】
スティックＡは、前記半割体１０ａ，１０ｂにおける凹溝１１ａ，１１ｂの一方に芯棒２０を配し、これら半割体１０ａ，１０ｂを前記のように対面させて接着することにより完成する。
【００１８】
なお、スティックＡは、上記のものに限られるものではなく、軸線方向に沿って形成された中空穴を備えた軸体と、該軸体の中空穴に配された芯棒とからなり、該軸体は切削性を有し、該芯棒は粘着性を有するものであればよい。
【００１９】
このように構成されたスティックＡは、軸体１０が切削性を有するため、図３に示すように、軸体１０の先端部と共に芯棒２０の先端が尖るように切削することができる。また、芯棒２０の尖った先端２０ａは、その先端に接着するラインストーンの大きさに適した面積になるように適宜切削することができる。また、芯棒２０の先端の粘着性が低下した場合には、芯棒２０の先端を切削して常に粘着性を有する状態に維持しておくことが可能である。
【００２０】
なお、本実施例におけるスティックＡは、その先端に、軸体及び芯棒を切削する簡易な削り部を備えたキャップを嵌め込んでおくと、携帯に便利であり、必要なときに簡単に芯棒２０の先端を切削することができる。
【符号の説明】
【００２１】
Ａ・・・スティック
１０・・・軸体
１０ａ・・半割体
１０ｂ・・半割体
１１・・・中空穴
１１ａ・・凹溝
１１ｂ・・凹溝
２０・・・芯棒
２０ａ・・芯棒の先端
【図１】
0003188778.tif 000003
【図２】
0003188778.tif 000004
【図３】
0003188778.tif 000005
(57)【要約】      （修正有）【課題】内容物収容後に掃除機等を用いて脱気する際、袋の内面同士が密着したり袋の内面と内容物とが密着したりしても、袋内の空気のすべてが円滑に吸引できる脱気袋を提供する。【解決手段】シート２，３の内面に脱気溝１０を備える脱気袋１であって、前記脱気溝１０は、前記シート２，３の内面において網目状に連続して広がる幅一様の凹溝であり、該凹溝に連なる位置に脱気口１２を設ける。【選択図】図１
0003188725.tif 000002
【実用新案登録請求の範囲】
【請求項１】
シートの内面に脱気溝を備える脱気袋であって、前記脱気溝は、前記シートの内面において網目状に連続して広がる幅一様の凹溝であり、該凹溝に連なる位置に脱気口を設けてある、脱気袋。
【考案の詳細な説明】
【技術分野】
【０００１】
本考案は、布団等の内容物を収納して内部の空気を吸引することにより、収縮状態で内容物を保管するための脱気袋に関するものである。
【背景技術】
【０００２】
前記の如き脱気袋として、特許文献１に記載のものが公知となっている。このものは、ナイロンあるいはポリエステル等で加工される圧縮袋であって、表シートあるいは裏シートの少なくともどちらか一方のシートの内側に多数の凸部を設け、凸部同士の間を空気流通溝としてなる圧縮袋である。
【先行技術文献】
【特許文献】
【０００３】
【特許文献１】特開２００１−１３９１０２号公報
【考案の概要】
【考案が解決しようとする課題】
【０００４】
本考案は、前記従来の提案とは別の構成の脱気袋に関するものであり、内容物収容後に掃除機等を用いて脱気する際、袋の内面同士が密着したり袋の内面と内容物とが密着したりしても、袋内の空気のすべてが円滑に吸引できる脱気袋を提供しようとするものである。
【課題を解決するための手段】
【０００５】
前記課題を解決するため、本考案に係る脱気袋は、シートの内面に脱気溝を備える脱気袋であって、前記脱気溝は、前記シートの内面において網目状に連続して広がる幅一様の凹溝であり、該凹溝に連なる位置に脱気口を設けてあることを特徴とする（請求項１）。
【０００６】
本考案によれば、脱気口に掃除機の吸引口を挿入する等して袋内の空気を吸引する際に、シートの内面同士が密着したり、あるいはシートの内面が内容物の表面に密着したりしても、網目状に連続して広がる幅一様の凹溝を通して袋の隅々から空気を吸い出すことができる。
【図面の簡単な説明】
【０００７】
【図１】本考案の実施の一形態に係る脱気袋の全体平面図である。
【図２】図１の脱気袋のシートのＡ部内面の拡大平面図である。
【図３】図２のＩＩＩ−ＩＩＩ矢視拡大断面部を含む、脱気袋の一部の使用状態断面図である。
【考案を実施するための形態】
【０００８】
以下、添付図面を参照して、本考案の実施の一形態について説明する。
【０００９】
図１に示すように、本考案の実施の一形態に係る脱気袋１は、いずれも同形同大の四角形の表シート２と裏シート３とを備える。これらのシート２，３は、ナイロンあるいはポリエステル等のプラスチック製のものである。脱気袋１の一辺４は開口し他の三辺５，６，７は密閉されている。開口部８には開閉自在なシール部９が設けられる。このシール部９を全開にして脱気袋１内に布団等の内容物Ｃを収納する。内容物Ｃを収納した後に、図示しない掃除機等の吸気装置を用いて脱気袋内の空気を吸引する。これにより、内容物をコンパクトに収納することができる。
【００１０】
前記脱気袋１において、前記シート２，３の少なくともいずれかの内面、好ましくは双方のシート２，３の内面に、脱気溝１０が形成される。この脱気溝１０は、前記シート２，３の内面に、網目状に連続して広がる幅一様の凹溝１１を形成したものである。この凹溝１１は前記シート２，３を製造する際にシート２，３自体に同時に形成してもよいし、通常のシートに凸部を設けることで凸部同士の間に凹溝が形成されるものとしてもよい。
【００１１】
なお、図１においては、脱気袋１が透明であるものとして、シートの内面にある脱気溝１０を実線で示してある。
【００１２】
図１のＡ部内面の拡大平面図である図２に示すように、前記脱気溝１０は、同形同大の菱形を縦横に連続的に並べた態様であり、各菱形の辺の部分が凹溝１１になっている。この凹溝１１は、シート２，３の内面において縦方向にも横方向にも途切れることなく続いている。凹溝１１の幅Ｗはどの場所でも一様とされ、本実施の形態では、図３に示すように、断面が台形状の溝とされている。溝の寸法に限定はないが、一例を挙げると、開口幅が２ｍｍ、底面幅が１．６５ｍｍ、深さが０．８ｍｍの凹溝である。
【００１３】
図１に示すように、前記脱気溝１０に連なる位置に開閉自在な脱気口１２が形成される。内容物Ｃを脱気袋１に入れてシール部９を全閉し、脱気口１２に掃除機の吸引パイプを挿入して、脱気袋１内の空気を掃除機で吸引する。
【００１４】
脱気袋１の開口部８を開閉するシール部９の一部を脱気口として利用することもできる。この場合には、脱気溝１０がシール部まで延びていることを要する。脱気袋１内に布団等の内容物Ｃを収納した後に、掃除機の吸引パイプを挿入できるだけの隙間を残してシール部９を閉じ、この隙間を脱気口として掃除機の吸引パイプを挿入し、脱気袋１内の空気を掃除機で吸引する。
【００１５】
本実施の形態によれば、脱気口１２に掃除機の吸引パイプを挿入して袋内の空気を吸引する際に、シート２，３の内面同士が密着したり、あるいはシート２，３の内面が内容物Ｃの表面に密着したりしても（図３参照）、シート２，３の内面において網目状に連続して広がる幅一様の凹溝１１を通して袋の隅々から空気を確実に吸い出すことができる。
【符号の説明】
【００１６】
１    脱気袋
２    シート（表シート）
３    シート（裏シート）
１０  脱気溝
１１  凹溝
１２  脱気口
【図１】
0003188725.tif 000003
【図２】
0003188725.tif 000004
【図３】
0003188725.tif 000005